(57)【特許請求の範囲】
【請求項１】
箱体内の上方向に配置された上段遮断器と、
前記箱体の下方向に配置された下段遮断器と、
前記上段遮断器の主回路導体と前記下段遮断器の主回路導体とを接続する垂直導体と、
前記垂直導体の中間部に接続されるとともに、この垂直導体の背面側に配置された盤間を接続する第１の盤間母線と第２の盤間母線とを備え、
前記第１の盤間母線と前記第２の盤間母線は、夫々、その両端部がＬ字状に曲折された母線端を有し、
一方の盤からの前記第１の盤間母線の母線端が前記垂直導体の背面側に配置され、
他方の盤からの前記第２の盤間母線の母線端が前記垂直導体の正面側に配置され、
前記第２の盤間母線の母線端の側から前記第２の盤間母線の母線端と前記垂直導体と前記第１の盤間母線の母線端とを貫通したボルトが、前記第１の盤間母線の母線端の側からナットにより締付けられていることを特徴とする金属閉鎖形スイッチギヤ。
【請求項２】
前記上段遮断器と前記下段遮断器との主回路導体が、変流器の主回路導体に接続されていることを特徴とする請求項１に記載の金属閉鎖形スイッチギヤ。
【発明の詳細な説明】
【技術分野】
【０００１】
本発明の実施形態は、主回路導体の組立性を向上させた金属閉鎖形スイッチギヤに関する。
【背景技術】
【０００２】
従来、二段積みの金属閉鎖形スイッチギヤでは、盤間を接続する盤間母線を上段遮断器と下段遮断器の間の空間部に配置していた（例えば、特許文献１参照。）。
【０００３】
この種の金属閉鎖形スイッチギヤは、図５に示すように、箱体１内の図示上方向に上段遮断器２、図示下方向に下段遮断器３が配置されている。上段遮断器２の上段下部導体４と下段遮断器３の下段上部導体５間は、三相分が垂直導体６で接続されている。垂直導体６は、両端が碍子７に固定され、中間部には、正面側に向かって延びた分岐導体８が接続されている。分岐導体８端には、盤間を接続する水平配置された盤間母線９が接続されている。即ち、盤間母線９は、三相分が正面側から背面側に向かって横一列配置され、上段遮断器２と下段遮断器３間に配置されている。
【０００４】
上段遮断器２の上段上部導体１０には、巻線形の上段変流器１１を介して上段電力ケーブル１２が接続される。下段遮断器３の下段下部導体１３にも、巻線形の下段変流器１４を介して下段電力ケーブル１５が接続される。なお、箱体１内の正面側には、隔壁１６で仕切られた制御室１７が設けられている。制御室１７の正面側には正面扉１８、箱体１の背面側には背面扉１９が設けられている。
【０００５】
このような箱体１内において、垂直導体６、分岐導体８、盤間母線９などの組立は、先ず、背面側から垂直導体６を接続し、その後、垂直導体６に分岐導体８を接続し、最後に、盤間母線９を接続する手順となる。このため、後工程となる分岐導体８や盤間母線９の組立では、三相分の垂直導体６の導体間の空間部や盤壁間との空間部からトルクレンチなどの組立治具を差し込み、ボルトの締付けを行わなければならなかった。したがって、垂直導体６によって作業範囲が限定されるとともに、視界を遮られるなどして、困難な組立作業となっていた。なお、正面側には、隔壁１６があり、正面側から組立作業を行うことはできない。
【先行技術文献】
【特許文献】
【０００６】
【特許文献１】特開２００７−２７４８６１号公報
【発明の概要】
【発明が解決しようとする課題】
【０００７】
本発明が解決しようとする課題は、盤間を接続する盤間母線の組立作業を容易とし得る金属閉鎖形スイッチギヤを提供することにある。
【課題を解決するための手段】
【０００８】
上記課題を解決するために、実施形態の金属閉鎖形スイッチギヤは、箱体内の上方向に配置された上段遮断器と、前記箱体の下方向に配置された下段遮断器と、前記上段遮断器の主回路導体と前記下段遮断器の主回路導体とを接続する垂直導体と、前記垂直導体の中間部に接続されるとともに、この垂直導体の背面側に配置された盤間を接続する第１の盤間母線と第２の盤間母線とを備え、前記第１の盤間母線と前記第２の盤間母線は、夫々、その両端部がＬ字状に曲折された母線端を有し、一方の盤からの前記第１の盤間母線の母線端が前記垂直導体の背面側に配置され、他方の盤からの前記第２の盤間母線の母線端が前記垂直導体の正面側に配置され、前記第２の盤間母線の母線端の側から前記第２の盤間母線の母線端と前記垂直導体と前記第１の盤間母線の母線端とを貫通したボルトが、前記第１の盤間母線の母線端の側からナットにより締付けられていることを特徴とする。
【図面の簡単な説明】
【０００９】
【図１】本発明の実施例に係る金属閉鎖形スイッチギヤの構成を示す側面図。
【図２】本発明の実施例に係る金属閉鎖形スイッチギヤの盤間母線部分を示す斜視図。
【図３】本発明の実施例に係る金属閉鎖形スイッチギヤの組立方法を説明する図。
【図４】本発明の実施例に係る金属閉鎖形スイッチギヤの盤間母線を示す上面図。
【図５】従来の金属閉鎖形スイッチギヤの構成を示す側面図。
【発明を実施するための形態】
【００１０】
以下、図面を参照して本発明の実施例を説明する。
【実施例】
【００１１】
本発明の実施例に係る金属閉鎖形スイッチギヤを図１〜図４を参照して説明する。図１は、本発明の実施例に係る金属閉鎖形スイッチギヤの構成を示す側面図、図２は、本発明の実施例に係る金属閉鎖形スイッチギヤの盤間母線部分を示す斜視図、図３は、本発明の実施例に係る金属閉鎖形スイッチギヤの組立方法を説明する図、図４は、本発明の実施例に係る金属閉鎖形スイッチギヤの盤間母線を示す上面図である。なお、各図において、従来と同様の構成部分については、同一符号を付した。
【００１２】
図１に示すように、箱体１内には、図示上方向に上段遮断器２、図示下方向に下段遮断器３が配置されている。上段遮断器２の上段下部導体４と下段遮断器３の下段上部導体５間は、三相分が板状の垂直導体２０で接続されている。垂直導体２０の両端には、碍子７に固定されたL字状の上段断路導体２１、下段断路導体２２が接続され、上段下部導体４、下段上部導体５に接続されるようになっている。垂直導体２０の中間部には、この垂直導体２０の背面側に三相分の盤間母線２３が縦一列配置され、接続されている。
【００１３】
上段遮断器２の上段上部導体１０には、貫通形の上段変流器２４を介して上段電力ケーブル１２が接続される。下段遮断器３の下段下部導体１３にも、貫通形の下段変流器２５を介して下段電力ケーブル１５が接続される。なお、箱体１内の正面側には、隔壁１６で仕切られた制御室１７が設けられている。制御室１７の正面側には正面扉１８、箱体１の背面側には背面扉１９が設けられている。
【００１４】
ここで、上段下部導体４、上段上部導体１０、上段断路導体２１、下段上部導体５、下段下部導体１３、下段断路導体２２を、単に、上段遮断器２、下段遮断器３の主回路導体と称する。
【００１５】
次に、盤間母線２３部分の詳細を図２〜図４を参照して説明する。
【００１６】
図２に示すように、三相分が盤幅方向に略等間隔で縦配置された垂直導体２０には、三相分が上下方向に略等間隔で配置された盤間母線２３が接続されている。盤間母線２３の両端部は、Ｌ字状に曲折されている。この場合、隣接する一方の盤からの母線端２３ａは、垂直導体２０を境として背面側に位置させ、他方の盤からの母線端２３ｂは、正面側に位置させている。即ち、垂直導体２０を挟むように母線端２３ａ、２３ｂを配置している。盤間母線２３は、盤間壁２６の開口部を貫通する。
【００１７】
母線端２３ａ、２３ｂの接続作業は、図３に示すように、背面側の作業スペースで行うものであり、正面側に位置する母線端２３ｂにボルト２７を貫通させ、背面側に位置する母線端２３ａからナット２８を締付けるようにしている。また、図４に示すように、正面側に配置される母線端２３ｂには、四角状の貫通孔２９を設け、ボルト２７も貫通する柄部分を四角状としている。背面側に配置される母線端２３ａは、円状の貫通孔３０としている。
【００１８】
これにより、ボルト２７とナット２８の締付け作業が背面側のナット２８だけの片側締付けとなり、組立作業が容易となる。なお、貫通孔２９とボルト２７の柄部分は、三角状以上の多角状や楕円状でもよい。
【００１９】
また、盤間母線２３を背面側に位置させ、三相分を縦一列配置しているので、背面側に作業スペースの確保ができ、組立作業を容易とすることができる。各相の盤間母線２３は、水平配置となる。
【００２０】
また、上段上部導体１０や下段下部導体１３を変流器２４、２５に固定された主回路導体に直接、接続しているので、部品点数を削減することができる。
【００２１】
上記実施例の金属閉鎖形スイッチギヤによれば、盤間を接続する盤間母線２３を背面側に位置させ、垂直導体２０を挟むように一方の母線端２３ａと他方の母線端２３ｂを配置し、正面側からボルト２７を貫通させ、背面側でナット２８を締付けるようにしているので、組立作業を容易とすることができる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２３】
１  箱体
２  上段遮断器
３  下段遮断器
４  上段下部導体
５  下段上部導体
６、２０  垂直導体
７  碍子
８  分岐導体
９、２３  盤間母線
１０  上段上部導体
１１、１４、２４、２５  変流器
１２、１５  電力ケーブル
１３  下段下部導体
１６  隔壁
１７  制御室
１８  正面扉
１９  背面扉
２１  上段断路導体
２２  下段断路導体
２３ａ、２３ｂ  母線端
２６  盤間壁
２７  ボルト
２８  ナット
２９、３０  貫通孔
【図１】
0005894375.tif 000002
【図２】
0005894375.tif 000003
【図３】
0005894375.tif 000004
【図４】
0005894375.tif 000005
【図５】
0005894375.tif 000006